【手続補正書】
【提出日】平成28年12月15日(2016.12.15)
【手続補正１】
【補正対象書類名】特許請求の範囲
【補正対象項目名】全文
【補正方法】変更
【補正の内容】
【特許請求の範囲】
【請求項１】
印刷データとその書誌情報を保存する第１の画像形成装置と、前記印刷データを保存する保存先を示す前記第１の画像形成装置の識別情報を記憶する第２の画像形成装置と、前記印刷データに基づく印刷を実行する第３の画像形成装置とを含むシステムであって、
前記第２の画像形成装置は、
前記第１の画像形成装置を示す識別情報と、該第１の画像形成装置の稼働状態を示す稼働情報とを管理する管理手段と、
前記第３の画像形成装置からの要求に応じて、保存先を示す前記第１の画像形成装置の前記識別情報を前記第３の画像形成装置へ送信する送信手段と
を備え、
前記第３の画像形成装置は、
前記第２の画像形成装置から前記識別情報を受信する受信手段と、
前記識別情報と前記稼働情報が示す稼働状態に基づいて特定された、印刷データの書誌情報を要求する前記第１の画像形成装置に対して、前記受信手段により受信した識別情報に従って印刷データの書誌情報を要求する要求手段と、
前記要求手段による要求に従って、前記第１の画像形成装置が保存する印刷データの書誌情報を取得する取得手段と
を備えることを特徴とするシステム。
【請求項２】
前記第３の画像形成装置は、
前記受信手段で受信した識別情報に基づいて、前記取得手段で取得した書誌情報あるいは前記識別情報の出力を制御する制御手段
を更に備えることを特徴とする請求項１に記載のシステム。
【請求項３】
前記第３の画像形成装置の前記制御手段は、前記識別情報に含まれる前記第１の画像形成装置の稼働状態に基づいて、省電力状態である前記第１の画像形成装置の前記識別情報を表示部に出力する
ことを特徴とする請求項２に記載のシステム。
【請求項４】
前記受信手段は、保存日時を受信し、
前記第３の画像形成装置の前記制御手段は、前記省電力状態である前記第１の画像形成装置に記憶された印刷データをユーザに認識させるべく、前記識別情報とともに前記保存日時を表示部に出力する
ことを特徴とする請求項３に記載のシステム。
【請求項５】
前記第３の画像形成装置の前記制御手段は、前記識別情報に基づいて、省電力状態である前記第１の画像形成装置の前記識別情報と省電力状態でない前記第１の画像形成装置が保存する印刷データの前記書誌情報とを識別可能に表示する
ことを特徴とする請求項２乃至４のいずれか１項に記載のシステム。
【請求項６】
前記第３の画像形成装置の前記要求手段は、省電力状態である前記第１の画像形成装置の内、前記識別情報に基づいて指定された第１の画像形成装置に対して印刷データの書誌情報を要求する
ことを特徴とする請求項５に記載のシステム。
【請求項７】
前記第３の画像形成装置は、
前記制御手段による制御に基づいて、前記書誌情報の一覧と前記識別情報の一覧の一覧画面を表示する表示手段
を更に備え、
前記制御手段は、前記一覧画面において前記識別情報が選択されると、該識別情報を該一覧画面から削除するとともに、該識別情報で特定される省電力状態である第１の画像形成装置が保存する印刷データの前記書誌情報が前記一覧画面で表示されるように前記表示手段を制御する
ことを特徴とする請求項５または６に記載のシステム。
【請求項８】
前記第３の画像形成装置は、
前記制御手段による制御に基づいて、前記書誌情報の一覧と前記識別情報の一覧の一覧画面を表示する表示手段
を更に備え、
前記制御手段は、前記一覧画面において選択された前記識別情報で特定される省電力状態である第１の画像形成装置が保存する印刷データの前記書誌情報が前記一覧画面でユーザによる選択が容易となるように前記表示手段を制御する
ことを特徴とする請求項５または６に記載のシステム。
【請求項９】
前記第３の画像形成装置は、
所定の印刷モードが指定されているか否かを判定する判定手段
を更に備え、
前記判定手段の判定の結果、前記所定の印刷モードが指定されている場合、前記取得手段は、前記要求手段による要求を禁止するとともに、当該第３の画像形成装置に保存されている書誌情報を取得する
ことを特徴とする請求項１乃至８のいずれか１項に記載のシステム。
【請求項１０】
前記第１の画像形成装置と前記第２の画像形成装置、または前記第１の画像形成装置と前記第３の画像形成装置は、同一の画像形成装置である
ことを特徴とする請求項１乃至９のいずれか１項に記載のシステム。
【請求項１１】
印刷データとその書誌情報を保存する第１の画像形成装置と、前記印刷データを保存する保存先を示す前記第１の画像形成装置の識別情報を記憶する第２の画像形成装置と、前記第２の画像形成装置から前記識別情報を受信する受信手段と、前記識別情報と稼働情報が示す稼働状態に基づいて特定された、印刷データの書誌情報を要求する前記第１の画像形成装置に対して、前記受信手段により受信した識別情報に従って印刷データの書誌情報を要求する要求手段とを備える、前記印刷データに基づく印刷を実行する第３の画像形成装置とを含むシステムにおける、前記第２の画像形成装置として機能する画像形成装置であって、
前記第１の画像形成装置を示す識別情報と、該第１の画像形成装置の稼働状態を示す稼働情報とを管理する管理手段と、
前記第３の画像形成装置からの要求に応じて、保存先を示す前記第１の画像形成装置の前記識別情報を前記第３の画像形成装置へ送信する送信手段と
を備えることを特徴とする画像形成装置。
【請求項１２】
印刷データとその書誌情報を保存する第１の画像形成装置と、前記印刷データを保存する保存先を示す前記第１の画像形成装置の識別情報と、該第１の画像形成装置の稼働状態を示す稼働情報とを管理する管理手段と、第３の画像形成装置からの要求に応じて、保存先を示す前記第１の画像形成装置の前記識別情報を前記第３の画像形成装置へ送信する送信手段とを備える第２の画像形成装置と、前記印刷データに基づく印刷を実行する第３の画像形成装置とを含むシステムにおける、前記第３の画像形成装置として機能する画像形成装置であって、
前記第２の画像形成装置から、前記識別情報を受信する受信手段と、
前記識別情報と前記稼働情報が示す稼働状態に基づいて特定された、印刷データの書誌情報を要求する前記第１の画像形成装置に対して、前記受信手段により受信した識別情報に従って印刷データの書誌情報を要求する要求手段と、
前記要求手段による要求に従って、前記第１の画像形成装置が保存する印刷データの書誌情報を取得する取得手段と
を備えることを特徴とする画像形成装置。
【請求項１３】
印刷データとその書誌情報を保存する第１の画像形成装置と、前記印刷データを保存する保存先を示す前記第１の画像形成装置の識別情報を記憶する第２の画像形成装置と、前記印刷データに基づく印刷を実行する第３の画像形成装置とを含むシステムの制御方法であって、
前記第１の画像形成装置を示す識別情報と、該第１の画像形成装置の稼働状態を示す稼働情報とを前記第２の画像形成装置において管理する管理工程と、
前記第３の画像形成装置からの要求に応じて、保存先を示す前記第１の画像形成装置の前記識別情報を、前記第２の画像形成装置から前記第３の画像形成装置へ送信する送信工程と、
前記識別情報と前記稼働情報が示す稼働状態に基づいて特定された、印刷データの書誌情報を、前記第３の画像形成装置において取得する取得工程と
を備えることを特徴とするシステムの制御方法。
【請求項１４】
印刷データとその書誌情報を保存する第１の画像形成装置と、前記印刷データを保存する保存先を示す前記第１の画像形成装置の識別情報を記憶する第２の画像形成装置と、前記第２の画像形成装置から前記識別情報を受信する受信手段と、前記識別情報と稼働情報が示す稼働状態に基づいて特定された、印刷データの書誌情報を要求する前記第１の画像形成装置に対して、前記受信手段により受信した識別情報に従って印刷データの書誌情報を要求する要求手段とを備える、前記印刷データに基づく印刷を実行する第３の画像形成装置とを含むシステムにおける、前記第２の画像形成装置として機能する画像形成装置の制御方法であって、
前記第１の画像形成装置を示す識別情報と、該第１の画像形成装置の稼働状態を示す稼働情報とを管理する管理工程と、
前記第３の画像形成装置からの要求に応じて、保存先を示す前記第１の画像形成装置の前記識別情報を前記第３の画像形成装置へ送信する送信工程と
を備えることを特徴とする画像形成装置の制御方法。
【請求項１５】
印刷データとその書誌情報を保存する第１の画像形成装置と、前記印刷データを保存する保存先を示す前記第１の画像形成装置の識別情報と、該第１の画像形成装置の稼働状態を示す稼働情報とを管理する管理手段と、第３の画像形成装置からの要求に応じて、保存先を示す前記第１の画像形成装置の前記識別情報を前記第３の画像形成装置へ送信する送信手段とを備える第２の画像形成装置と、前記印刷データに基づく印刷を実行する第３の画像形成装置とを含むシステムにおける、前記第３の画像形成装置として機能する画像形成装置であって、
前記第２の画像形成装置から、前記識別情報を受信する受信工程と、
前記識別情報と前記稼働情報が示す稼働状態に基づいて特定された、印刷データの書誌情報を要求する前記第１の画像形成装置に対して、前記受信工程により受信した識別情報に従って印刷データの書誌情報を要求する要求工程と、
前記要求工程による要求に従って、前記第１の画像形成装置が保存する印刷データの書誌情報を取得する取得工程と
を備えることを特徴とする画像形成装置の制御方法。
【請求項１６】
コンピュータを、請求項１乃至１０のいずれか１項に記載のシステムあるいは請求項１１または１２に記載の画像形成装置の各手段として機能させるための、または請求項１３乃至１５のいずれか１項に記載の制御方法をコンピュータに実行させるためのプログラム。
【手続補正２】
【補正対象書類名】明細書
【補正対象項目名】００１２
【補正方法】変更
【補正の内容】
【００１２】
上記の目的を達成するための本発明によるシステムは以下の構成を備える。即ち、
印刷データとその書誌情報を保存する第１の画像形成装置と、前記印刷データを保存する保存先を示す前記第１の画像形成装置の識別情報を記憶する第２の画像形成装置と、前記印刷データに基づく印刷を実行する第３の画像形成装置とを含むシステムであって、
前記第２の画像形成装置は、
前記第１の画像形成装置を示す識別情報と、該第１の画像形成装置の稼働状態を示す稼働情報とを管理する管理手段と、
前記第３の画像形成装置からの要求に応じて、保存先を示す前記第１の画像形成装置の前記識別情報を前記第３の画像形成装置へ送信する送信手段と
を備え、
前記第３の画像形成装置は、
前記第２の画像形成装置から前記識別情報を受信する受信手段と、
前記識別情報と前記稼働情報が示す稼働状態に基づいて特定された、印刷データの書誌情報を要求する前記第１の画像形成装置に対して、前記受信手段により受信した識別情報に従って印刷データの書誌情報を要求する要求手段と、
前記要求手段による要求に従って、前記第１の画像形成装置が保存する印刷データの書誌情報を取得する取得手段と
を備える。